(57)【要約】【課題】  熱プレスを必要とせず、製作が容易であり、反りにくく、剥離しにくい床用化粧材を実現する。【解決手段】  床に貼る樹脂製の床材の表面に印刷により表面膜を、裏面に印刷により裏面膜を設けてある。塗料は耐摩耗性のある塗料である。表面と裏面に印刷する塗料には同じ塗料が使用されている。床材の少なくとも表面に塗料により模様或いは色彩が印刷され、その上に透明或いは半透明の塗料が印刷により設けられている。塗料は骨材を混入したものであってもよい。装飾膜を床材の表裏両面に設けることもできる。【選択図】    図１
2018096138.tif 000002
【特許請求の範囲】
【請求項１】
床に貼ることのできる床材において、
樹脂製の床材の表面に塗料による表面膜を、裏面に塗料による裏面膜を備え、
表面膜と裏面膜の塗料が同じ性質の塗料である、
ことを特徴とする床用化粧材。
【請求項２】
請求項１記載の床用化粧材において、
樹脂製の床材の表面に装飾膜を備え、その上に透明又は半透明の表面膜を備えて、表面膜を透過して装飾膜の模様が見えるようにした、
ことを特徴とする床用化粧材。
【請求項３】
請求項１又は請求項２記載の床用化粧材において、
少なくとも、表面膜の塗料内に骨材が含まれている、
ことを特徴とする床用化粧材。
【請求項４】
請求項１から請求項３のいずれか１項に記載の床用化粧材において、
床材が二層以上の表面膜を備えた。
ことを特徴とする床用化粧材。
【請求項５】
請求項１から請求項４のいずれか１項に記載の床用化粧材において、
少なくとも、床材と表面膜との間にプライマー層を備えた、
ことを特徴とする床用化粧材。
【請求項６】
請求項１から請求項５のいずれか１項に記載の床用化粧材において、
床材の表面と裏面の双方に装飾膜を備え、表面の装飾膜の上に表面膜を、裏面の装飾膜の上に裏面膜を設けて、床材の表面と裏面のいずれにも装飾膜を備えた、
ことを特徴とする床用化粧材。
【発明の詳細な説明】
【技術分野】
【０００１】
本発明は床に敷く床用化粧材（床用タイル）に関する。
【背景技術】
【０００２】
室内の床の上に敷く床用化粧材として、従来、特許文献１に開示のようなものがある。従来汎用されている床用化粧材としては、塩ビタイルの表面に模様や図柄等を印刷し、その上に樹脂フィルムを貼ったものもある。
【０００３】
特許文献１に記載の床用化粧材は、化粧シートの表面に表面樹脂層を、裏面に裏面樹脂層を熱プレスするものであるため、積層加工が面倒であり、専用のマシンを必要とする。また、使用可能材料が耐熱性のあるものに限られる。また、表面樹脂層が剥がれやすい、積層する化粧シートと表面樹脂層と裏面樹脂層の材質や加熱温度によっては化粧シートが歪んだり反ったりする、という課題があった。
【０００４】
前記汎用の床用化粧材は、塩ビタイルとその上に貼る樹脂フィルムの収縮率が異なるため、塩ビタイルが歪んだり反ったりする（変形する）ことがあった。貼る前に変形する床に貼りにくくなり、貼った後に変形すると床から剥がれ易くなる、といったことがあった。
【先行技術文献】
【特許文献】
【０００５】
【特許文献１】特開２０１２−７２６３３号公報
【発明の開示】
【発明が解決しようとする課題】
【０００６】
本発明の課題は、熱プレスを必要とせず、製作が容易であり、反りにくく、剥離しにくい床用化粧材を実現することにある。
【課題を解決するための手段】
【０００７】
本発明の床用化粧材は、床に貼る樹脂製の床材、例えば塩ビタイルの表面に印刷（コーティングを含む）により表面膜を、裏面に印刷により裏面膜を設けたものである。塗料は耐摩耗性のある塗料である。表面と裏面の双方に印刷する塗料には同じ性質（特性）のものが使用されている。床材の表面に塗料（インク）により模様或いは色彩が印刷され、その上に透明或いは半透明の塗料が印刷により設けられたものであってもよい。塗料は骨材を混入したものであってもよい。装飾面を床材の表裏両面に設けることもできる。
【発明の効果】
【０００８】
本発明の床用化粧材は次のような効果がある。
１．床材の表裏両面の耐摩耗性の塗料が印刷されて表面膜と裏面膜が設けられているため、フィルムを貼り付ける場合のように加熱する必要がなく、製作が容易である。
２．フィルムを貼り付けたものではないため、剥がれるおそれがない。
３．床材の表裏両面に印刷された塗料が同じ塗料であるため、床材が歪んだり反ったりしにくくなる。このため、床に貼り付けやすく、貼り付け後に剥がれにくくなる床用化粧材となる。
４．骨材を入れた塗料を印刷した場合は耐摩耗性がよくなる。
５．装飾面を床材の表裏両面に設けた場合は、一枚の床材の表面と裏面の装飾面を組み合わせて床に貼って、貼りつけた床の模様に多様性を持たせることができる。
【図面の簡単な説明】
【０００９】
【図１】（ａ）は本発明の床用化粧材の一例を示す表面側説明図、（ｂ）は裏面側説明図。
【図２】本発明の床用化粧材であって、（ａ）は表面に装飾膜と表面膜を、裏面に装飾膜と裏面膜を備えた床用化粧材の断面図、（ｂ）は床材の表面に表面膜を、裏面に裏面膜を備えた床用化粧材の断面図。
【図３】本発明の床用化粧材であって、（ａ）は骨材が表面膜内に内蔵されている場合の表面側拡大断面図、（ｂ）は骨材が表面膜の上まで突出している場合の表面側拡大断面図。
【発明を実施するための形態】
【００１０】
以下に本発明の床用化粧材の一例を説明する。
［床材］
本発明で使用する床材１は樹脂製であって、床材として使用可能なものであれば、特に制約なく使用可能である。一例としては市販の塩ビタイルがある。市販の塩ビタイルは正方形、長方形といった各種形状である。正方形の場合は５０ｃｍ×５０ｃｍ、４５ｃｍ×４５ｃｍ、３０ｃｍ×３０ｃｍといった各種サイズがある。厚さも各種あり２〜５ｍｍ程度のものが多い。色は表面白色、木目、石柄（石模様）、裏面黒色が一般的である。これらは本発明で使用可能な塩ビタイルの一例であり、本発明ではそれら以外の塩ビタイルであっても使用可能である。
【００１１】
本発明では、床材１の一実施例として表面が白色、裏面が黒色である市販の塩ビタイルを使用し、その表面２に、図１（ａ）、図２（ａ）のように、アクリル又は塩ビ系の塗料（インク）３で模様や着色等の装飾を印刷した装飾膜４を設け、その上に、透明或いは半透明の塗料３を印刷した表面膜５を設け、塩ビタイル１の裏面６に、図１（ｂ）、図２（ｂ）のように、塗料３を印刷した裏面膜７を設けてある。裏面膜７は透明、半透、不透明のいずれであってもよい。本発明では装飾膜４を裏面６に設けない場合もある。
【００１２】
［塗料］
塗料３には塩ビタイル１との親和性に優れた樹脂塗料を使用するのが望ましい。一例としては、ＵＶ硬化型のウレタンアクリレートが適する。装飾膜４、表面膜５、裏面膜７の塗料は同じ性質（機能）の塗料３である。夫々の膜の膜厚は所望厚とすることができるが、いずれも同じ又は略同じにすることができ、装飾膜４をもそれらよりも多少薄くすることもできる。耐摩耗性、滑り止め等の面から、表面膜５の膜厚も裏面膜７の膜厚も共に１０〜１５μｍ程度が望ましい。装飾膜４の上に印刷する表面膜５には透明或いは半透明の塗料３を使用して、下の装飾膜４の装飾が隠れないようにするのが望ましい。表面２、裏面６に塗布する塗料を同じ性質のものとすれば、表裏両面の塗料の伸縮が均等になり、塗料の引っ張りによる床材１の歪み、反りが生じにくくなる。
【００１３】
塗料３は難燃剤、帯電防止剤、酸化防止剤、紫外線カット剤、吸収剤、その他の機能性剤が含まれたものであってもよい。弾性のある塗料であってもよい。
【００１４】
装飾膜４の装飾は、風景画、静物画、動物画、幾何学模様、数字やアルファベット文字等で表現した模様、芝生模様、写真の図柄といった所望の模様とすることができる。単一色或いは二色以上に塗り分けた色模様（着色）であってもよい。装飾膜４は図２（ｂ）のように床材１の裏面にも設けることもできる。この場合は、裏面膜７に透明或いは半透明の塗料３を使用して、裏面の装飾膜４の装飾を裏側から見えるようにして（両面模様付きにして）、床材１の表裏両面のいずれを表にしても貼り付け可能とすることもできる。
【００１５】
［プライマー層］
塩ビタイル１と装飾膜４の間、装飾膜４と表面膜５の間、塩ビタイル１と裏面膜７の間にはプライマー塗料を印刷して、塩ビタイル１と装飾膜４、装飾膜４と表面膜５、塩ビタイル１と裏面膜７の接着を強固にすることもできる。プライマー層には塩ビタイル１の表面２と装飾膜４、装飾膜４と表面膜５、塩ビタイル１の裏面６と裏面膜７との親和性のある塗料３を使用する。
【００１６】
［印刷手法］
装飾膜４、表面膜５、裏面膜７、プライマー層は刷毛やローラによる塗布、シルクスクリーン印刷や他の手法による印刷、噴霧器による吹付け、インクジェットプリント、その他、任意の手法で成膜することができる。表面膜５、裏面膜７は一層でも良いが二層以上であってもよい。二層以上にする場合は二層以上が同じ塗料であってもよく、異なる塗料であってもよい。
【００１７】
［骨材］
塗料３には骨材８を混入して使用することができる。骨材８は塗料３内で撹拌して混入する。骨材８の入った塗料３を使用して表面膜５を印刷した場合は、図３（ａ）のように骨材８が表面膜５の上まで突出することもあり、図３（ｂ）のように骨材８が表面膜５内に含まれることもある。骨材８は表面膜５内にのみ含まれるようにすることも、装飾膜４内にも含まれるようにすることもできる。必要であれば、裏面膜７内にも、又は裏面膜７と裏面６の装飾膜４との双方にも含ませることができる。表面膜５の表面に突出している場合であっても、突出している骨材８の表面が表面膜５で被覆されるようにすると耐摩耗性が強化され剥離しにくくなる。
【００１８】
骨材８は耐摩耗性、滑り止め性に優れたものが好ましく、例えば、アルミナ粉末、チタン粉末、シリカ粉末、ガラス粉末、その他の粉末が適する。その形状は球状が好ましく、サイズはｎｍ単位或いはμｍ単位の大きさが適する。
【００１９】
［混合比］
塗料３と骨材８の混合比は任意に設定できるが、一例としては、塗料３との重量比５〜３０％程度が適する。好ましくは１０％である。
【００２０】
本発明の前記実施形態はあくまでも一例であり、塗料の種類、厚さ、骨材の粒径、混合比率等は本発明の目的を達成できる範囲で適宜決定することができる。
【符号の説明】
【００２１】
１  床材（塩ビタイル）
２  床材（塩ビタイル）の表面
３  塗料
４  装飾膜
５  表面膜
６  床材（塩ビタイル）の裏面
７  裏面膜
８  骨材
【図１】
2018096138.tif 000003
【図２】
2018096138.tif 000004
【図３】
2018096138.tif 000005